(57)【特許請求の範囲】
【請求項１】
監視制御システムに接続されて電気所に設置されている遠隔監視制御装置の遠隔監視制御対象となる互いに接続された複数の機器を機器シンボルの形態で一画面に表示する工程と、
一つの前記機器シンボルに対して２つの異なるポジションを予めデータベースで定義する工程と、
前記機器に接続される前記遠隔監視制御装置をケーブル切替により旧から新に切替えるに際して、複数の前記機器シンボルを表示する一画面中、切替える前記遠隔監視制御装置に遠隔監視制御される前記機器を表示する前記機器シンボルにつながるポジションのシンボルと新旧二つの前記遠隔監視制御装置のポジションのシンボルのうちいずれか一方とを選択的にリンクさせる可視画像であって当該可視画像上で新旧の前記遠隔監視制御装置のポジションリンクを切替える仮想的なソフトウェアスイッチを表示し、このソフトウェアスイッチの切替操作により対応する前記機器シンボルのポジションを旧の前記遠隔監視制御装置に対応するポジションから新の前記遠隔監視制御装置に対応するポジションに切替える工程と、
を備えることを特徴とする電気所における遠隔監視制御装置取替時の監視制御方法。
【請求項２】
監視制御システムに接続されて電気所に設置されている遠隔監視制御装置の遠隔監視制御対象となる互いに接続された複数の機器を機器シンボルの形態で一画面に表示する手段と、
一つの前記機器シンボルに対して２つの異なるポジションを予め定義したデータベースと、
前記機器に接続される前記遠隔監視制御装置をケーブル切替により旧から新に切替えるに際して、複数の前記機器シンボルを表示する一画面中、切替える前記遠隔監視制御装置に遠隔監視制御される前記機器を表示する前記機器シンボルにつながるポジションのシンボルと新旧二つの前記遠隔監視制御装置のポジションのシンボルのうちいずれか一方とを選択的にリンクさせる可視画像であって当該可視画像上で新旧の前記遠隔監視制御装置のポジションリンクを切替える仮想的なソフトウェアスイッチを表示し、このソフトウェアスイッチの切替操作により対応する前記機器シンボルのポジションを旧の前記遠隔監視制御装置に対応するポジションから新の前記遠隔監視制御装置に対応するポジションに切替える手段と、
を備えたことを特徴とする電気所における遠隔監視制御装置取替のための監視制御システム。
【発明の詳細な説明】
【技術分野】
【０００１】
本発明は、監視制御システムに接続されて設置されている電気所の遠隔監視制御装置取替時の監視制御方法及び監視制御システムに関するものである。
【背景技術】
【０００２】
従来、電気所に設置している遠隔監視制御装置（データ伝送装置を含む）は、経年による劣化等の理由により取り替えなければならないものであるが、その手段としては、現地遠隔監視制御装置の新旧切替を電気所のエリア毎に数回に分けて実施している。遠隔監視制御を行う上位システムでは、その都度、対応するポジションの新旧切替のためのデータベース切替を行っている。例えば、図１に示すように、電気所の監視制御システム１には、モデム２を介してモデム３付きの遠隔監視制御装置（子局ＴＣ）４が接続されている（Ａポジション、Ａ−００１）。この遠隔監視制御装置（子局ＴＣ）４は経年により取り替えるべき旧い遠隔監視制御装置である。また、前記監視制御システム１には、モデム５を介してモデム６付きの遠隔監視制御装置（子局ＴＣ）７が接続されている（Ｂポジション、Ｂ−００１）。この遠隔監視制御装置（子局ＴＣ）７は新たに設置する新規の遠隔監視制御装置である。これらの遠隔監視制御装置（子局ＴＣ）４及び遠隔監視制御装置（子局ＴＣ）７には制御ケーブル８を介して遮断機９が接続されている。また、前記監視制御システム１の画面１０には、送電線１１、変圧器１２、受電部１３等の機器シンボル１４が表示されている。
【０００３】
しかして、従来の遠隔監視制御装置（子局ＴＣ）４、７の取替時には、新旧の遠隔監視制御装置（子局ＴＣ）４、７に対し、図２（ａ）（ｂ）（ｃ）に示すように、あらかじめ同じ電気所の２画面を用意し、新旧のポジション情報をデータベースで定義する仕組みとなっていた。この場合、１つの電気所を２画面で監視することとなり、また、現地側の新旧の切替に対応して、新画面での監視範囲、旧画面での監視範囲の変更を、運転員が判断しなければならず、誤認するおそれがあった。
【０００４】
さらに、近年は、電気的接続状態をデータベース化し、電気所画面上で充電中／停電中の状態表示を色分けで行う技術が取り入れられており、図２に示す１つの電気所を２画面で監視するデータの作り方はできなくなり、図３に示すように、電気所のエリア毎に数回に分けて実施する現地遠隔監視制御装置（子局ＴＣ）４、７の新旧切替の都度、遠隔監視制御を行う上位システムにおいては、対応するポジションの新旧切替のため、ひとくくりのデータベースの切替を行っていた。この際のデータベースの切替回数例の一例を図４に示す。すなわち、画面の１つの機器シンボル１４に対し、１つのポジションに紐付けしているものであり、図示の例では、６つの断面に分離して、６回のデータベースの切替回数を必要としていたものである。この場合、各断面における機器シンボル１４は色分けにより区分表示されているものである。
【発明の開示】
【発明が解決しようとする課題】
【０００５】
従来、遠隔監視制御装置の取替を行う場合、新しい遠隔監視制御装置を据えておいてケーブルの切替で部分的に切替作業を行っている。すなわち、全部を一度に切替えることができないので、部分的に停電範囲を設定しながら順次全体を取り替えているものである。この際、図３に示すように、一画面で表示する方法においても、例えば、６つの断面に分離する必要があり、各画面毎にデータベースを作成しなければならず、データベース切替が多数回になってしまうという第一の問題がある。これは、６つの切替断面を必要とすることであり、費用がかかるものである。
【０００６】
つぎに、予め決められた切替の順番を容易に変更することができず、制約を生じるという点が第二の問題点である。すなわち、データベースの切替は、予め決められた切替の順番に従い時系列で作成されている。そのため、なんらかの要因で切替順番が入れ替わる場合、新しい順番のデータベースを作り直し、事前の確認試験を実施した後、新しいデータベースの切替を実施しなければならない。また、再度データベースを作り直して再試験する必要が生じる。
【課題を解決するための手段】
【０００７】
請求項１記載の発明は、監視制御システムに接続されて電気所に設置されている遠隔監視制御装置の遠隔監視制御対象となる互いに接続された複数の機器を機器シンボルの形態で一画面に表示する工程と、一つの前記機器シンボルに対して２つの異なるポジションを予めデータベースで定義する工程と、前記機器に接続される前記遠隔監視制御装置をケーブル切替により旧から新に切替えるに際して、複数の前記機器シンボルを表示する一画面中、切替える前記遠隔監視制御装置に遠隔監視制御される前記機器を表示する前記機器シンボルにつながるポジションのシンボルと新旧二つの前記遠隔監視制御装置のポジションのシンボルのうちいずれか一方とを選択的にリンクさせる可視画像であって当該可視画像上で新旧の前記遠隔監視制御装置のポジションリンクを切替える仮想的なソフトウェアスイッチを表示し、このソフトウェアスイッチの切替操作により対応する前記機器シンボルのポジションを旧の前記遠隔監視制御装置に対応するポジションから新の前記遠隔監視制御装置に対応するポジションに切替える工程と、を備えた電気所における遠隔監視制御装置取替時の監視制御方法である。
【０００８】
請求項２記載の発明は、監視制御システムに接続されて電気所に設置されている遠隔監視制御装置の遠隔監視制御対象となる互いに接続された複数の機器を機器シンボルの形態で一画面に表示する手段と、一つの前記機器シンボルに対して２つの異なるポジションを予め定義したデータベースと、前記機器に接続される前記遠隔監視制御装置をケーブル切替により旧から新に切替えるに際して、複数の前記機器シンボルを表示する一画面中、切替える前記遠隔監視制御装置に遠隔監視制御される前記機器を表示する前記機器シンボルにつながるポジションのシンボルと新旧二つの前記遠隔監視制御装置のポジションのシンボルのうちいずれか一方とを選択的にリンクさせる可視画像であって当該可視画像上で新旧の前記遠隔監視制御装置のポジションリンクを切替える仮想的なソフトウェアスイッチを表示し、このソフトウェアスイッチの切替操作により対応する前記機器シンボルのポジションを旧の前記遠隔監視制御装置に対応するポジションから新の前記遠隔監視制御装置に対応するポジションに切替える手段と、を備えた電気所における遠隔監視制御装置取替のための監視制御システムである。
【発明の効果】
【０００９】
請求項１記載の発明によれば、一つの機器シンボルに対し、２つの異なるポジションを予めデータベースで定義することができ、運用者により、容易にどちらかを選択できる仕組みを持たせることでデータベース切替を一度に行うことができるものである。また、２つの異なるポジション切替は、仮想的に設けたソフトウェアスイッチを運用者が新旧切替操作をすることで行い得るので、別のハードウェアを必要としない仕組みとすることができる。したがって、順番の入れ替わり等があっても、現地の新旧遠隔監視制御装置に取り込まれる制御ケーブルの切替を実施したポジションのみを、運用者が通常の機器操作と同様な操作で切替えることができ、データベースの都度切替を不要としたものである。
【００１０】
請求項２記載の発明によれば、監視制御装置画面シンボルのポジションリンクの２重化をする２重化手段により、一つの機器シンボルに対し、２つの異なるポジションを予めデータベースで定義することができ、運用者により、容易にどちらかを選択できる仕組みを持たせることでデータベース切替を一度に行うことができるものである。また、２つの異なるポジション切替は、監視制御装置画面シンボルのポジションリンクの２重化をする２重化手段を備えていることにより、仮想的に設けたソフトウェアスイッチを運用者が新旧切替操作をすることで行い得るので、別のハードウェアを必要としない仕組みとすることができる。したがって、順番の入れ替わり等があっても、現地の新旧遠隔監視制御装置に取り込まれる制御ケーブルの切替を実施したポジションのみを、運用者が通常の機器操作と同様な操作で切替ることができ、データベースの都度切替を不要としたものである。
【発明を実施するための最良の形態】
【００１１】
本発明の実施の態様を図５に基いて説明する。基本的な構成は、前述の従来例として説明した図１に示したものと同様である。まず、電気所の監視制御システム１５には、モデム１６を介してモデム１７付きの遠隔監視制御装置（子局ＴＣ）１８が接続されている（Ａポジション、Ａ−００１）。この遠隔監視制御装置（子局ＴＣ）１８は経年により取り替えるべき旧い遠隔監視制御装置である。また、前記監視制御システム１５には、モデム１９を介してモデム２０付きの遠隔監視制御装置（子局ＴＣ）２１が接続されている（Ｂポジション、Ｂ−００１）。この遠隔監視制御装置（子局ＴＣ）２１は新たに設置する新規の遠隔監視制御装置である。これらの遠隔監視制御装置（子局ＴＣ）１８及び遠隔監視制御装置（子局ＴＣ）２１には制御ケーブル２２を介して遮断機２３が接続されている。また、前記監視制御システム１５の画面２４には、送電線２５、変圧器２６、受電部２７等の機器シンボル２８が表示されている。従って、前記監視制御システム１５の前記画面２４は、旧遠隔監視制御装置１８と新遠隔監視制御装置２１とを運用者によるケーブル切替により切替えて機器シンボル２８を一画面に表示する表示手段となるものである。しかして、前記モデム１６、１９と前記機器シンボル２８との間には、仮想的に設けたソフトウェアスイッチ２９が介挿されている。このソフトウェアスイッチ２９を設けることにより、現地制御ケーブル切替に対応できるように監視制御装置画面シンボルのポジションリンクの２重化をする２重化手段が構成されるものである。
【００１２】
このような構成において、遠隔監視制御装置（子局ＴＣ）１８、２１の取替時には、どういう順番で作業しようとも、遮断機２３による制御ケーブル２２を切替えたところだけ新しい遠隔監視制御装置（子局ＴＣ）２１を選べるようにソフトウェアスイッチ２９を切替えるように操作してやればよい。すなわち、本実施の態様における監視制御システム１５では、通常画面２４の一つの機器シンボル２８に対し、１つのポジションで紐付けされているが、新・旧２つのポジションに対し、どちらか一つを運用者が選択できる仕組みとなっており、選ばれたポジションと画面の機器シンボル２８とを紐付けする構成となっている。これにより、順番の入れ替わりが等があっても、新旧の切替を実施したポジションのみを運用者で切替えることで対応でき、データベースの都度切替が不要となっているものである。
【００１３】
このように本実施の態様によれば、一つの機器シンボルに対し、２つの異なるポジションを予めデータベースで定義することができ、運用者により、容易にどちらかを選択できる仕組みを持たせることでデータベース切替を一度に行うことができるものである。また、２つの異なるポジション切替は、仮想的に設けたソフトウェアスイッチを運用者が新旧切替操作をすることで行い得るので、別のハードウェアを必要としない仕組みとすることができる。したがって、順番の入れ替わり等があっても、現地の新旧遠隔監視制御装置に取り込まれる制御ケーブルの切替を実施したポジションのみを、運用者が通常の機器操作と同様な操作で切替えることができ、データベースの都度切替を不要としたものである。
【図面の簡単な説明】
【００１４】
【図１】従来の遠隔監視制御装置の切替のシステムを示すブロック図である。
【図２】従来の切替断面を（ａ）（ｂ）（ｃ）の三段階の状態を示す説明図である。
【図３】従来の他の切替断面の状態を示す説明図である。
【図４】データベースの切替回数例を示す説明図である。
【図５】本発明の実施の態様を示すもので、遠隔監視制御装置の切替のシステムを示すブロック図である。
【符号の説明】
【００１５】
１５    監視制御システム
１８    遠隔監視制御装置
２１    遠隔監視制御装置
２３    遮断機
２８    機器シンボル
２９    ソフトウェアスイッチ
【図１】
0004731300.tif 000002
【図２】
0004731300.tif 000003
【図３】
0004731300.tif 000004
【図４】
0004731300.tif 000005
【図５】
0004731300.tif 000006